(57)【要約】【課題】開閉障子と固定障子を自由に組み合わせて配置することができて、構造が単純で施工性に優れ、尚且つ全体的に統一感のある優れた外観意匠を実現できるサッシの提供を目的とする。【解決手段】方立１と、開閉障子２と、固定障子３ａ，３ｂと、両側開閉障子支持用補助材４と、片側開閉障子支持用補助材５とを備え、方立は、室外側面に固定障子と両側開閉障子支持用補助材と片側開閉障子支持用補助材の何れかを選択して固定可能であり、開閉障子は、側端部を両側開閉障子支持用補助材又は片側開閉障子支持用補助材で受けてあり、固定障子は、その側端部を方立に固定してあり、固定障子と固定障子との隙間の見付け寸法ｓ１，ｓ２と、固定障子と開閉障子との隙間の見付け寸法ｓ３と、開閉障子と開閉障子との隙間の見付け寸法ｓ４を略同一とし、且つ固定障子と開閉障子の框の見付け寸法ａ１，ａ２，ａ３を略同一とし、固定障子と開閉障子の見付け面１０，１１ａ，１１ｂを略同一平面上に配置したことを特徴とする。【選択図】      図１
2004250963.tif 000002
【特許請求の範囲】
【請求項１】
方立と、開閉障子と、固定障子と、方立の室外側の左右両側に位置する開閉障子の室内側面を受ける両側開閉障子支持用補助材と、方立の室外側の左右何れか一方の側に位置する開閉障子の室内側面を受ける片側開閉障子支持用補助材とを備え、方立は、室外側面に固定障子と両側開閉障子支持用補助材と片側開閉障子支持用補助材の何れかを選択して固定可能であり、開閉障子は、側端部を両側開閉障子支持用補助材又は片側開閉障子支持用補助材で受けてあり、固定障子は、側端部を方立に固定してあり、固定障子と固定障子との隙間の見付け寸法と、固定障子と開閉障子との隙間の見付け寸法と、開閉障子と開閉障子との隙間の見付け寸法を略同一とし、且つ固定障子と開閉障子の框の見付け寸法を略同一とし、固定障子と開閉障子の見付け面を略同一平面上に配置したことを特徴とするサッシ。
【請求項２】
固定障子と片側開閉障子支持用補助材は、各々の一部を室内外方向に重ねて方立に固定してあることを特徴とする請求項１記載のサッシ。
【発明の詳細な説明】
【０００１】
【発明の属する技術分野】
本発明は、開閉障子と固定障子を自由に組み合わせることができ、且つ開閉障子の部分と固定障子の部分とで外観の統一を図ったサッシ（カーテンウォールを含む）に関するものである。
【０００２】
【従来の技術】
ビル用のサッシやカーテンウォールは、方立と無目とからなる格子状の骨組にガラス等のパネルを嵌め込んで大部分が嵌め殺し窓状に構成され、一部に火災時の排煙や換気等のために開閉障子が設けられる。一般的に方立は、角筒状の本体部の室外側に断面Ｔ字形のパネル保持部を一体に有する形状となっており、パネル保持部内にパネルの側縁部を呑み込ませ、パネル保持部内の隙間部分に押縁を嵌め込んでパネルを方立に固定している。開閉障子の部分では、方立のパネル保持部内に枠部材を取り付け、枠部材に取り付けたシール材に障子の框を当接させて、水密性と気密性を確保している。
【０００３】
上記の構造であると、開閉障子の縦框が方立からはみ出すことになり、嵌め殺し窓部と開閉障子の部分とでは外から見て窓枠の横幅が異なり、デザインの統一性・直線性が害される。この不都合を解消するための対策としては、方立の室外側面を開閉障子の高さ分だけ切り欠く手法がある（例えば特許文献１参照。）。この構造を採るためには、各方立を各施工現場毎における開閉障子の位置及び配置に合わせて切り欠かねばならず、方立の設計・製作に時間と手間を要する欠点がある。また別の手法として、角筒状の方立本体の室外側面に、取付部材を介して開閉障子や固定障子に対応した種々のアタッチメントを取り付けることによって、形状の異なる多種類の方立を構成するものが知られている（例えば特許文献２参照。）。この場合は、多数の形材を組み合わせて方立を構成することから、方立周りの構造が複雑であり、施工が容易ではなかった。また、方立の室外側に現れる窓枠部の外観が、両側が開閉障子となった部分、両側が固定障子となった部分、片側が開閉障子でもう片側が固定障子となった部分とでそれぞれ異なったものになり、全体的に統一感のある斬新な外観意匠を実現することが困難であった。
【０００４】
【特許文献１】
特開平８−３１９６８７号公報
【特許文献２】
特開平６−６５９７７号公報
【０００５】
【発明が解決しようとする課題】
本発明は以上に述べたような実情に鑑みてなされたものであって、開閉障子と固定障子を自由に組み合わせて配置することができて、構造が単純で施工性に優れ、尚且つ全体的に統一感のある優れた外観意匠を実現できるサッシの提供を目的とする。
【０００６】
【課題を解決するための手段】
上記の課題を達成するために請求項１記載の発明によるサッシは、方立と、開閉障子と、固定障子と、方立の室外側の左右両側に位置する開閉障子の室内側面を受ける両側開閉障子支持用補助材と、方立の室外側の左右何れか一方の側に位置する開閉障子の室内側面を受ける片側開閉障子支持用補助材とを備え、方立は、室外側面に固定障子と両側開閉障子支持用補助材と片側開閉障子支持用補助材の何れかを選択して固定可能であり、開閉障子は、側端部を両側開閉障子支持用補助材又は片側開閉障子支持用補助材で受けてあり、固定障子は、側端部を方立に固定してあり、固定障子と固定障子との隙間の見付け寸法と、固定障子と開閉障子との隙間の見付け寸法と、開閉障子と開閉障子との隙間の見付け寸法を略同一とし、且つ固定障子と開閉障子の框の見付け寸法を略同一とし、固定障子と開閉障子の見付け面を略同一平面上に配置したことを特徴とする。なお、固定障子と開閉障子の框の見付け寸法は、少なくとも上下に隣接して配置される障子の縦框同士、左右に隣接して配置される障子の横框同士で同一としてあれば良く、必ずしも全ての障子の全ての框の見付け寸法を同一にする必要はない。
【０００７】
請求項２記載の発明によるサッシは、上記の構成に加えて、固定障子と片側開閉障子支持用補助材は、各々の一部を室内外方向に重ねて方立に固定してあることを特徴とする。
【０００８】
【発明の実施の形態】
以下、本発明の実施の形態を図面に基づいて説明する。図１から図７は、本発明のサッシの一実施形態を示している。このサッシは、建物の躯体１５に固定して方立１を等間隔に設け、各方立１間の上部に上の無目材１６を、中間部に中間の無目材１７を、下部に下の無目材１８をそれぞれ架設して枠組を構成し、上下二段に形成された枠組の各開口部に、開閉障子２と固定障子３ａ，３ｂを設けて構成してある。上段の開口部には開閉障子２と固定障子３ａを横並びに設けて連窓とし、下段の開口部は中間の無目材１７と下の無目材１８の間で複層ガラス１９を嵌め殺し状に保持し、固定障子３ｂとしてある。図７中、３２はサッシの自重受けボルト、３３は水切り片である。
【０００９】
各方立１は、図１等に示すように長方形断面の筒状となっており、その室外側の面に鉤状の取付部２０を長手方向に四列備えており、その取付部２０に係合して、開閉障子２の室内側面を受ける補助材４，５、又は固定障子３ａ，３ｂの縦框８ａ，８ｂを、選択自在に取付ビス２１で直接取り付けできるようになっている。方立の各部について具体的に述べると、図１に示すように、左右両側が開閉障子２となった方立１の室外側面には、両側開閉障子支持用補助材４が固定してあり、片側が開閉障子２でもう片側が固定障子３ａとなった方立１の室外側面には、片側開閉障子支持用補助材５と固定障子３ａの縦框８ａが固定してある。片側開閉障子支持用補助材５と固定障子３ａの縦框８ａは、端部に設けた取付片２２，２３を室内外方向に重ねて、取付ビス２１により方立１に固定してある。取付ビス２１の室外側には溝状部が構成され、その内部にシーリング材２４を充填してある。また前記二種類の補助材４，５の室外側面には、開閉障子２の縦框６の室内側面に圧接するパッキン２５を長手方向に有している。
開閉障子２は、図４や図６に示すように、縦框６の下端部に室外側に突出して設けた障子側アーム２６が、方立１の室外側面から開閉障子２，２の隙間を通って室外側に延びる方立側アーム２７の先端に水平軸２８で回転自在に連結され、水平軸２８を支点として回転して外倒し式に開閉する。図中の２９は、開閉障子２が一定以上開かないようにするための連結部材である。
また、図３に示すように、両側が固定障子３ａとなった方立１の室外側面には、左右の固定障子３ａの縦框８ａを固定してある。なお、この部分に設けられる上の無目材１６と中間の無目材１７は、ガラスの上端部と下端部を各々保持し、固定障子３ａの横框の役目を兼ねるものとなっている。
方立１の両側が固定障子の場合、図５に示すように、隣接する固定障子３ｂの縦框８ｂを左右に連続した形として方立１に固定することもできる。この縦框８ｂは、ガラス１９の室内側面を保持する部材と、ガラス１９の室外側面を保持する部材の二部材で構成してある。
【００１０】
本サッシでは、固定障子３ａと固定障子３ａとの隙間の見付け寸法ｓ１、固定障子３ｂと固定障子３ｂとの隙間の見付け寸法ｓ２、開閉障子２と固定障子３ａとの隙間の見付け寸法ｓ３、開閉障子２と開閉障子２との隙間の見付け寸法ｓ４を、同一としてある。また、開閉障子２の縦框６の見付け寸法ａ１と固定障子３ａ，３ｂの縦框８ａ，８ｂの見付け寸法ａ２，ａ３を、同一としてある。また、開閉障子２の横框７の見付け寸法と、固定障子３ａの横框９ａ（上及び中間の無目材１６，１７の一部）の見付け寸法も、同一としてある。したがって、隣接する障子の隣接する二つの框を合わせた見付け寸法Ａ１とＡ２とＡ３とＡ４、Ｂ１とＢ２も同一となっている。さらに図１や図６に示すように、開閉障子２の見付け面１０と、固定障子３ａ，３ｂの見付け面１１ａ，１１ｂを同一平面上に配置している。このようにすることで、本サッシを外から見た場合に、固定障子・開閉障子の別に関わらず、上下や左右に隣接する障子で框が一定の幅で連続し、且つ見付け面が同一面となるため、統一感のある良好な外観意匠を呈する。
【００１１】
このサッシの施工手順を簡単に述べる。まず、建物の躯体１５に方立１をファスナー３０ａ，３０ｂで固定する。次に、各方立１間に無目材１６，１７，１８を設置しつつ、同時に固定障子３ａ，３ｂの部分を構成する。次に、両側開閉障子支持用補助材４、片側開閉障子支持用補助材５を方立１に固定する。その後、別に製作した開閉障子２を連結具３１により方立１に固定する。
【００１２】
本サッシは、単一の形状の方立１の室外側面に、両側開閉障子支持用補助材４、片側開閉障子支持用補助材５、若しくは固定障子３ａ，３ｂの縦框８ａ，８ｂの何れも取り付けできる構成としたため、開閉障子２と固定障子３ａ，３ｂを自由に組み合わせて配置することが可能である。
【００１３】
本発明は、以上に述べた実施形態に限定されるものではない。開閉障子は、障子の連結具の形態や取付位置を変更することによって、外倒し窓に限らず、突き出し窓や回転窓等とすることもできる。
【００１４】
【発明の効果】
請求項１記載の発明によるサッシは、方立の室外側面に、固定障子と両側開閉障子支持用補助材と片側開閉障子支持用補助材の何れかを選択自在に直接固定できるようにしたので、方立をその都度設計したり追加工を施したりすることなく、固定障子と開閉障子を自由な組み合わせで配設することができ、しかも方立周りの構造が単純化され、施工性が良好となった。また、固定障子と固定障子との隙間の見付け寸法と、固定障子と開閉障子との隙間の見付け寸法と、開閉障子と開閉障子との隙間の見付け寸法とを略同一とし、且つ固定障子と開閉障子の框の見付け寸法を略同一とし、固定障子と開閉障子の見付け面を略同一平面上に配置したことにより、固定障子・開閉障子の別に関わらず、上下や左右に隣接する障子で框が一定の幅で連続し、且つ見付け面が略同一面となるため、統一感のある良好な外観意匠を実現できる。
【００１５】
さらに請求項２に記載したように、固定障子と片側開閉障子支持用補助材の各々の一部を、室内外方向に重ねて方立に固定することによって、固定障子と開閉障子の隙間の見付け寸法を小さくすることができ、窓枠部を全体として細く見せるとともに、固定障子と開閉障子とが隣接する部分の窓枠部の外観を、固定障子と固定障子、及び開閉障子と開閉障子とが隣接する部分の窓枠部の外観と統一が可能となる。
【図面の簡単な説明】
【図１】図２におけるＡ−Ａ断面図である。
【図２】本発明のサッシの一実施形態を示す室外側正面図である。
【図３】図２におけるＢ−Ｂ断面図である。
【図４】図２におけるＣ−Ｃ断面図である。
【図５】図２におけるＤ−Ｄ断面図である。
【図６】図２におけるＥ−Ｅ断面図である。
【図７】図２におけるＦ−Ｆ断面図である。
【符号の説明】
１  方立
２  開閉障子
３ａ，３ｂ  固定障子
４  両側開閉障子支持用補助材
５  片側開閉障子支持用補助材
６  開閉障子の縦框（框）
７  開閉障子の横框（框）
８ａ，８ｂ  固定障子の縦框（框）
９ａ，９ｂ  固定障子の横框（框）
１０  開閉障子の見付け面
１１ａ，１１ｂ  固定障子の見付け面
ｓ１，ｓ２  固定障子と固定障子との隙間の見付け寸法
ｓ３  固定障子と開閉障子との隙間の見付け寸法
ｓ４  開閉障子と開閉障子との隙間の見付け寸法
【図１】
2004250963.tif 000003
【図２】
2004250963.tif 000004
【図３】
2004250963.tif 000005
【図４】
2004250963.tif 000006
【図５】
2004250963.tif 000007
【図６】
2004250963.tif 000008
【図７】
2004250963.tif 000009